(57)【要約】【課題】演奏時の操作性を向上させることができる鍵盤楽器を提供すること。【解決手段】１オクターブを構成する複数の白鍵２０の総幅寸法Ｌが１６０ｍｍ以下に設定され、黒鍵２１の上面２１ａの幅寸法Ｌａが９ｍｍ以上かつ１０．５ｍｍ以下に設定される。これにより、黒鍵２１の上面２１ａの幅寸法を標準的な鍵盤楽器の黒鍵と同等にすることができる。よって、黒鍵２１を押鍵する際の操作性（押鍵のしやすさ）を標準的な鍵盤楽器と同等にすることができるので、鍵盤楽器１が標準的な鍵盤楽器よりも小型に形成される場合でも、黒鍵２１の操作性を向上させることができる。【選択図】図２
2019144317.tif 000002
【特許請求の範囲】
【請求項１】
白鍵および黒鍵がそれぞれ幅方向に複数並設される鍵盤楽器において、
１オクターブを構成する前記複数の白鍵の総幅寸法が１６０ｍｍ以下に設定され、
前記黒鍵の上面の幅寸法が９ｍｍ以上かつ１０．５ｍｍ以下に設定されることを特徴とする鍵盤楽器。
【請求項２】
前記黒鍵の底部の幅寸法が１１ｍｍ未満に設定されることを特徴とする請求項１記載の鍵盤楽器。
【請求項３】
前記黒鍵の底部の幅寸法が１０．７ｍｍ以上に設定されることを特徴とする請求項２記載の鍵盤楽器。
【請求項４】
前記黒鍵の上面の幅寸法よりも底部の幅寸法が大きく設定されることを特徴とする請求項２又は３に記載の鍵盤楽器。
【請求項５】
前記黒鍵の上面の幅寸法をＬａ、前記黒鍵の底部の幅寸法をＬｂ、前記黒鍵の高さ寸法をＬｃとした場合に、２°≦ａｒｃｔａｎ（（Ｌｂ−Ｌａ）／（２×Ｌｃ））の関係を満たす等脚台形状に前記黒鍵が形成されることを特徴とする請求項４記載の鍵盤楽器。
【請求項６】
前記黒鍵の側面の表面粗さよりも上面の表面粗さが粗くされることを特徴とする請求項２から５のいずれかに記載の鍵盤楽器。
【請求項７】
前記黒鍵の側面が鏡面に形成されることを特徴とする請求項６記載の鍵盤楽器。
【請求項８】
前記黒鍵の側面にシボ加工が施されることを特徴とする請求項６記載の鍵盤楽器。
【請求項９】
前記黒鍵の上面にシボ加工が施されることを特徴とする請求項６から８のいずれかに記載の鍵盤楽器。
【請求項１０】
ピアノとして構成されることを特徴とする請求項１から９のいずれかに記載の鍵盤楽器。
【請求項１１】
前記白鍵および前記黒鍵の動作に連動するハンマーを備えることを特徴とする請求項１から１０のいずれかに記載の鍵盤楽器。
【請求項１２】
前記白鍵および前記黒鍵の動作に基づいて楽音信号を生成する電子鍵盤楽器として構成されることを特徴とする請求項１から１１のいずれかに記載の鍵盤楽器。
【発明の詳細な説明】
【技術分野】
【０００１】
本発明は、鍵盤楽器に関し、特に、演奏時の操作性を向上させることができる鍵盤楽器に関する。
【背景技術】
【０００２】
鍵盤楽器の黒鍵の形状を標準的なものとは異なる形状に形成し、演奏時における白鍵や黒鍵の操作性を向上させる技術が知られている。例えば、特許文献１には、Ｆ＃、Ｇ＃、及び、Ａ＃の音名に対応する黒鍵の底面の幅寸法を、他の黒鍵よりも小さく設定する構成や、黒鍵どうしの間で対面する側面の傾斜角や面形状を変化させる構成を備える鍵盤楽器が記載されている。この鍵盤楽器によれば、黒鍵どうしの間に位置する白鍵（Ｄ、Ｇ、及び、Ａの音名に対応するもの）を演奏者が操作する場合に、演奏者の指に黒鍵が干渉することを抑制できるので、演奏時の操作性を向上させることができる。
【先行技術文献】
【特許文献】
【０００３】
【特許文献１】特表２０１６−５２７５５０（例えば、００１９，００３２，００３６、図３〜８）
【発明の概要】
【発明が解決しようとする課題】
【０００４】
しかしながら、上述した従来の技術では、鍵盤楽器の鍵の総幅寸法を標準的なものより小さくする場合に、如何なる黒鍵の形状が好適であるかは考慮されていない。即ち、例えば、鍵盤楽器の鍵の総幅寸法を標準的なものより小さくする場合、従来は、全ての黒鍵（白鍵）の幅寸法を小さくする構成が採用されていた。更に、従来は、全ての黒鍵（白鍵）の幅寸法を同一の比率で小さくする構成が採用されることもあった。よって、黒鍵の幅寸法が小さくなり、演奏時の操作性が低下するという問題点があった。
【０００５】
本発明は、上述した問題点を解決するためになされたものであり、演奏時の操作性を向上させることができる鍵盤楽器を提供することを目的としている。
【課題を解決するための手段】
【０００６】
この目的を達成するために本発明の鍵盤楽器は、白鍵および黒鍵がそれぞれ幅方向に複数並設されるものであり、１オクターブを構成する前記複数の白鍵の総幅寸法が１６０ｍｍ以下に設定され、前記黒鍵の上面の幅寸法が９ｍｍ以上かつ１０．５ｍｍ以下に設定される。
【図面の簡単な説明】
【０００７】
【図１】一実施形態における鍵盤楽器の上面図である。
【図２】図１の矢印ＩＩ方向視における鍵盤楽器の部分拡大正面図である。
【発明を実施するための形態】
【０００８】
以下、好ましい実施の形態について、添付図面を参照して説明する。まず、図１を参照して、鍵盤楽器１の構成について説明する。図１は、一実施形態における鍵盤楽器１の上面図である。なお、図１では、図面を簡素化するために、黒鍵２１の側面２１ｂ（図２参照）等、一部の構成を省略して模式的に図示している。
【０００９】
図１に示すように、鍵盤楽器１は、複数（本実施形態では、８８個）の鍵２と、それら複数の鍵２の周囲を取り囲むパネル３と、を備える電子楽器（電子ピアノ）として構成される。鍵２は、幹音を演奏するための複数（本実施形態では、５２個）の白鍵２０と、派生音を演奏するための複数（本実施形態では、３６個）の黒鍵２１と、から構成され、それら複数の白鍵２０及び黒鍵２１が幅方向（図１の左右方向）に並設される。
【００１０】
白鍵２０は、標準的な鍵盤楽器の白鍵の各部の幅寸法を所定の比率（本実施形態では約１５／１６）で縮小した形状に樹脂材料を用いて形成される。なお、標準的な鍵盤楽器とは、ＪＩＳ  Ｓ８５０７（１９９２年版）に規定される標準的な鍵盤楽器であり、以下の説明においては、「標準的な鍵盤楽器」と省略して記載する。
【００１１】
黒鍵２１は、前後方向に延設され、黒鍵２１の白鍵２０に対する相対位置（白鍵２０の幅方向中央と黒鍵２１の幅方向中央との位置関係）は、標準的な鍵盤楽器と同一に設定される。
【００１２】
なお、以下の説明において、白鍵２０を音名（Ｃ、Ｄ、Ｅ、Ｆ、Ｇ、Ａ、Ｂ）に応じて個別に特定する場合には、対応する音名を付して（例えば、Ｃの音名に対応する白鍵２０は、「白鍵２０Ｃ」として）説明する。また、黒鍵２１も同様に、音名（Ｃ＃、Ｄ＃、Ｆ＃、Ｇ＃、Ａ＃）に応じて個別に特定する場合には、対応する音名を付して（例えば、Ｃ＃の音名に対応する黒鍵２１は、「黒鍵２１Ｃ」として）が説明する。
【００１３】
パネル３は、正面パネル３ａと、その正面パネル３ａと前後方向（図１の上下方向）で対向配置される背面パネル３ｂと、正面パネル３ａ及び背面パネル３ｂの幅方向端部どうしを接続する一対の端パネル３ｃとを備え、それら正面パネル３ａ、背面パネル３ｂ、及び、一対の端パネル３ｃによって白鍵２０及び黒鍵２１が取り囲まれる。
【００１４】
背面パネル３ｂの上面（図１の紙面手前側の面）には、例えば、ＬＥＤや液晶ディスプレイなどから形成され各種の状態を表示するための表示装置、ボリューム調整やモード変更などを行うための複数の操作子などが配設される（いずれも図示せず）。また、背面パネル３ｂの背面には、例えば、電源スイッチ、ＭＩＤＩ信号やオーディオ信号を入出力するための複数のジャックなどが配設される（いずれも図示せず）。
【００１５】
白鍵２０及び黒鍵２１は、基端側（背面パネル３ｂ側）の部位が軸支され、その軸周りに（上下に）揺動可能に構成される。白鍵２０及び黒鍵２１は、下面側に開口を有する箱状に形成され、その開口部分にガイドポスト（図示せず）が挿通されることにより、白鍵２０及び黒鍵２１の上下の揺動がガイドポストによって案内される。
【００１６】
また、図示は省略するが、鍵盤楽器１は、演奏者の操作（押鍵または離鍵）による白鍵２０及び黒鍵２１の動作に連動（回動）するハンマーと、そのハンマー（若しくは、白鍵２０及び黒鍵２１）の回動によってオン／オフされるスイッチとを、備える。演奏者によって白鍵２０又は黒鍵２１が押鍵されると、ハンマーが自重に抗して回動するので、アコースティックなピアノに近似した操作感を付与できる。
【００１７】
また、ハンマー（若しくは、白鍵２０及び黒鍵２１）が回動することでスイッチがオン／オフされる。このスイッチのオン／オフ動作によって白鍵２０及び黒鍵２１の押鍵情報（ベロシティ）が検出され、その検出結果に基づく楽音信号が外部に出力される。
【００１８】
ここで、標準的な鍵盤楽器の鍵の総幅寸法は、１２２０ｍｍ〜１２３０ｍｍである。よって、標準的な鍵盤楽器において１オクターブを構成する白鍵の総幅寸法は、約１６４．２〜１６５．６ｍｍとなり、比較的手の小さい演奏者（例えば、子供）は、一の白鍵と、その一の白鍵よりも１オクターブ上（下）の白鍵とを片方の手だけでは同時に押鍵できない場合がある。
【００１９】
これに対して、本実施形態では、一の白鍵２０（例えば、白鍵２０Ｃ）幅方向中央から、一の白鍵２０よりも１オクターブ上（下）の白鍵２０（例えば、白鍵２０Ｃ）の幅方向中央にかけての幅寸法Ｌ（即ち、１オクターブを構成する白鍵２０の総幅寸法）は、標準的な鍵盤楽器よりも小さい値（本実施形態では、約１５／１６に縮小された１５４ｍｍ）に設定される。これにより、比較的手の小さい演奏者であっても、１オクターブ上または下の関係にある白鍵２０どうしを片方の手だけで同時に押鍵することができる。
【００２０】
次いで、図２を参照して、鍵盤楽器１の詳細構成について説明する。図２は、図１の矢印ＩＩ方向視における鍵盤楽器１の部分拡大正面図である。
【００２１】
図２に示すように、複数の黒鍵２１は、それぞれ実質的に同一の構成（形状）であるので、一の黒鍵２１（黒鍵２１Ｇ）のみについて説明し、他の黒鍵２１についての説明は省略する。黒鍵２１は、押鍵面として構成される上面２１ａと、その上面２１ａから白鍵２０側に垂下する一対の側面２１ｂと、を備え、樹脂材料を用いて断面等脚台形状に形成される。
【００２２】
ここで、黒鍵２１の正面視（長手方向視）において、黒鍵２１の上面２１ａに沿う直線が一方の側面２１ｂの延長線と交わる交点を第１の交点、黒鍵２１の上面２１ａに沿う直線が他方の側面２１ｂの延長線と交わる交点を第２の交点とし、それら第１の交点および第２の交点どうしを結ぶ線分の長さを、黒鍵２１の上面２１ａの幅寸法Ｌａと定義する。
【００２３】
本実施形態では、黒鍵２１の上面２１ａの幅寸法Ｌａは、標準的な鍵盤楽器と同等の寸法（本実施形態では、９．８ｍｍ）に設定される。これにより、黒鍵２１を押鍵する際の操作性（押鍵のしやすさ）を標準的な鍵盤楽器と同等にすることができる。よって、鍵盤楽器１が標準的な鍵盤楽器よりも小型に形成される場合でも、黒鍵２１の操作性を向上させることができる。
【００２４】
黒鍵２１の操作性を向上させるためには、黒鍵２１の上面２１ａの幅寸法Ｌａを極力大きく設定することが好ましいが、かかる幅寸法Ｌａを標準的な鍵盤楽器の黒鍵の上面の幅寸法よりも大きくすると、標準的な鍵盤楽器のような操作感が得られ難くなる。よって、黒鍵２１の上面２１ａの幅寸法Ｌａは、９．０ｍｍ以上かつ１０．５ｍｍ以下（即ち、標準的な鍵盤楽器と同等の値）に設定することが好ましい。これにより、標準的な鍵盤楽器のような操作感を得ることができる。
【００２５】
ここで、標準的な鍵盤楽器の黒鍵の底部の幅寸法（１１．０ｍｍ〜１２．５ｍｍ）を約１５／１６に縮小すると、１０．３ｍｍ〜１１．７ｍｍとなるが、黒鍵２１の底部の幅寸法Ｌｂは、１１ｍｍ未満（本実施形態では、１０．７ｍｍ）に設定される。
【００２６】
これにより、隣り合う黒鍵２１の底部どうしの間のスペースを広げる（黒鍵２１の形状を断面矩形に近づける）ことができるので、黒鍵２１どうしの間に位置する白鍵２０（白鍵２０Ｄ，２０Ｇ，２０Ａ）を演奏者が押鍵する場合に、演奏者の指に黒鍵２１が干渉することを抑制できる。よって、鍵盤楽器１が標準的な鍵盤楽器よりも小型に形成される場合でも、白鍵２０の操作性を向上させることができる。
【００２７】
黒鍵２１どうしの間に位置する白鍵２０の操作性を向上させるためには、黒鍵２１の底部の幅寸法Ｌｂを極力小さく設定することが好ましいが、かかる幅寸法Ｌｂを小さくしすぎると、黒鍵２１に挿通されるガイドポストの幅寸法（若しくは、ガイドポストを取り囲む黒鍵２１の壁部の幅寸法）を確保し難くなる。よって、黒鍵２１の底部の幅寸法Ｌｂは、１０．７ｍｍ以上に設定することが好ましい。これにより、黒鍵２１に挿通されるガイドポスト（若しくは、ガイドポストを取り囲む黒鍵２１の壁部）の幅寸法を確保して、ガイドポスト（黒鍵２１）の剛性を確保できる。
【００２８】
このように、黒鍵２１と、黒鍵２１どうしの間に位置する白鍵２０（白鍵２０Ｄ，２０Ｇ，２０Ａ）との双方の操作性を確保するためには、黒鍵２１の底部の幅寸法Ｌｂを、黒鍵２１の上面２１ａの幅寸法Ｌａに極力近づけることが好ましい。即ち、正面視において黒鍵２１の形状が矩形に近い（上下方向に対する側面２１ｂの傾斜角が小さい）ほど白鍵２０及び黒鍵２１の操作性が向上するものの、黒鍵２１が矩形に近づくほど金型成形時の抜き勾配を確保しづらくなり、かかる成形時において黒鍵２１の離型性が低下する。
【００２９】
これに対して、本実施形態では、黒鍵２１の底部の幅寸法Ｌｂは、黒鍵２１の上面２１ａの幅寸法Ｌａよりも大きい値に設定されるので、黒鍵２１の側面２１ｂを傾斜させ、金型成形時の抜き勾配を確保することができる。よって、白鍵２０及び黒鍵２１の操作性を向上させつつ、黒鍵２１の金型成形時の離型性を確保できる。
【００３０】
このように、黒鍵２１の上面２１ａの幅寸法Ｌａは、９．０ｍｍ以上かつ１０．５ｍｍ以下、黒鍵２１の底部の幅寸法Ｌｂは、１０．７ｍｍ以上かつ１１．０ｍｍ未満の範囲にそれぞれ設定されることが好ましいが、黒鍵２１の高さ寸法（白鍵２０の上面から黒鍵２１の上面２１ａまでの寸法。本実施形態では、１２ｍｍ）をＬｃとした場合に、Ｌａ＜Ｌｂ、且つ、２°≦ａｒｃｔａｎ（（Ｌｂ−Ｌａ）／（２×Ｌｃ））の関係を満たす等脚台形状に黒鍵２１を形成することが更に好ましい。これにより、黒鍵２１の側面２１ｂの傾斜角を２°以上とすることができるので、黒鍵２１の抜き勾配を確保して、黒鍵２１の金型成形時の離型性をより向上させることができる。
【００３１】
また、黒鍵２１の上面２１ａには、シボ（微細な凹凸）が形成されているため（図１の拡大部分参照）、演奏者が黒鍵２１の上面２１ａを押鍵した際に摩擦抵抗を付与することができる。よって、黒鍵２１を押鍵した際に演奏者の指が黒鍵２１の上面２１ａで滑ることを抑制できるので、黒鍵２１の操作性を向上させることができる。
【００３２】
また、黒鍵２１の上面２１ａにシボが形成されるのに対し、黒鍵２１の側面２１ｂは、鏡面に形成されている。即ち、黒鍵２１の上面２１ａの表面粗さＲｚ（本実施形態では、１０μｍ以上）よりも、黒鍵２１の側面２１ｂの表面粗さＲｚ（本実施形態では、５μｍ以下）が小さく設定される。これにより、演奏者が黒鍵２１どうしの間の白鍵２０を押鍵する場合に、黒鍵２１の側面２１ｂに指が滑りやすくなるので、黒鍵２１どうしの間に位置する白鍵２０（白鍵２０Ｄ，２０Ｇ，２０Ａ）の操作性を向上させることができる。
【００３３】
また、黒鍵２１の側面２１ｂの鏡面は、金型成形時の金型の内面（側面２１ｂに対向する面）を鏡面加工することで形成されるので、金型から黒鍵２１を離型する場合に、金型の内面と黒鍵２１の側面２１ｂとが滑りやすくなる。これにより、黒鍵２１の底部の幅寸法Ｌｂを１１ｍｍ未満とし、黒鍵２１の上面２１ａの幅寸法Ｌａに近づけた場合（黒鍵２１の断面形状を矩形に近づけた場合）でも、金型成形時の黒鍵２１の離型性を向上させることができる。
【００３４】
なお、上述した通り、黒鍵２１の側面２１ｂの傾斜角を２°以上とすることが好ましいが、これは、黒鍵２１の側面２１ｂを鏡面としたことで可能となったものである。即ち、黒鍵２１の側面２１ｂが鏡面でない（例えば、側面２１ｂにシボ加工が施される）場合、金型成形時の離型性を確保するためには、側面２１ｂの傾斜角を３°程度に設定する（抜き勾配を大きくする）必要がある。
【００３５】
これに対して、本実施形態では、黒鍵２１の側面２１ｂが鏡面に形成されるので、黒鍵２１の側面２１ｂの傾斜角が２°程度であっても、金型成形時の離型性を確保することができる。換言すれば、黒鍵２１の側面２１ｂの傾斜角を３°未満に設定することができるので、その分、黒鍵２１の上面２１ａの幅寸法Ｌａを大きくすることや、黒鍵２１の底部どうしの間のスペースを広くすることができる。よって、黒鍵２１や、黒鍵２１どうしの間に位置する白鍵２０（白鍵２０Ｄ，２０Ｇ，２０Ａ）の操作性を向上させることができる。
【００３６】
以上、上記実施形態に基づき説明をしたが、本発明は上記実施形態に何ら限定されるものではなく、本発明の趣旨を逸脱しない範囲内で種々の改良変形が可能であることは容易に推察できるものである。
【００３７】
上記実施形態では、鍵盤楽器１が電子楽器（電子ピアノ）として構成される場合を説明したが、必ずしもこれに限られるものではない。例えば、標準的な鍵盤楽器から鍵の幅寸法を縮小した他の小型の楽器（ピアノ、オルガン等）や、小型の電子楽器（電子オルガン等）においても、上記実施形態の技術思想を適用できる。
【００３８】
上記実施形態では、１オクターブを構成する白鍵２０の総幅寸法が、標準的な鍵盤楽器から約１５／１６に縮小された寸法（１５４ｍｍ）に設定される場合を説明したが、必ずしもこれに限られるものではない。例えば、１オクターブを構成する白鍵２０の総幅寸法が１２８ｍｍ以上の鍵盤楽器であれば、上記実施形態の技術思想を適用できる。
【００３９】
上記実施形態では、白鍵２０及び黒鍵２１が樹脂材料を用いて形成される場合を説明したが、必ずしもこれに限られるものではない。例えば、他の材料（例えば、木材）を用いて白鍵２０及び黒鍵２１を形成することは当然可能である。
【００４０】
上記実施形態では、複数の黒鍵２１がそれぞれ実質的に同一の構成である場合を説明したが、必ずしもこれに限られるものではない。例えば、黒鍵２１の形状（上面２１ａの幅寸法Ｌａ、底部の幅寸法Ｌｂ、上面２１ａのシボの有無、側面２１ｂの鏡面加工の有無）は、それぞれの黒鍵２１で異なっていても良い。即ち、上記の実施形態の黒鍵２１の構成を、全ての黒鍵２１に適用するのではなく、一部の黒鍵２１のみに適用しても良い。
【００４１】
よって、例えば、一部の黒鍵２１の側面２１ｂを鏡面に形成する場合には、対向間隔が狭い黒鍵２１どうしの対向間（隣接する黒鍵２１Ｃ，２１Ｄどうしの間、又は、隣接する黒鍵２１Ｆ，２１Ｇ，２１Ａどうしの間）に位置する側面２１ｂのみ、鏡面加工を施すことが好ましい。これにより、対向間隔が狭い黒鍵２１どうしの間に位置する白鍵２０（白鍵２０Ｄ，２０Ｇ，２０Ａ）の操作性を確保しつつ、黒鍵２１の製造コストを低減できる。
【００４２】
上記実施形態では、正面視において黒鍵２１が等脚台形状に形成される場合を説明したが、必ずしもこれに限られるものではない。例えば、正面視において黒鍵２１が矩形（一対の側面２１ｂのそれぞれの傾斜角が０°のもの）に形成される構成や、黒鍵２１が他の台形状（一対の側面２１ｂの傾斜角がそれぞれ異なるもの）に形成される構成でも良い。
【００４３】
即ち、上記実施形態では、黒鍵２１の上面２１ａの幅寸法Ｌａが９．０ｍｍ以上かつ１０．５ｍｍに設定される場合に、黒鍵２１の底部の幅寸法Ｌｂは、１０．７ｍｍ以上１１ｍｍ未満の範囲が好適である点を説明したが、必ずしもこれに限られるものではない。例えば、底部の幅寸法Ｌｂは、１０．７ｍｍ未満や１１ｍｍ以上の寸法でも良く、少なくとも黒鍵２１の上面２１ａの幅寸法Ｌａ以上の値であれば良い。
【００４４】
上記実施形態では、黒鍵２１の上面２１ａのシボや、側面２１ｂの鏡面が金型成形時に形成される場合を説明したが、必ずしもこれに限られるものではない。例えば、黒鍵２１を金型成形した後、黒鍵２１の上面２１ａや側面２１ｂにブラスト処理や鏡面仕上げを行うことでシボや鏡面を形成しても良い。また、黒鍵２１の側面２１ｂにシボ加工を施しても良く、少なくとも黒鍵２１の側面２１ｂよりも上面２１ａの表面粗さＲｚが粗くされる構成であれば、黒鍵２１の操作性を向上させつつ黒鍵２１の金型成形時の離型性を向上させることができる。また、黒鍵２１の上面２１ａのシボ加工や、側面２１ｂの鏡面加工を省略する構成でも良い。
【００４５】
なお、黒鍵２１の側面２１ｂにシボ加工を施す（若しくは、鏡面加工を施さない）場合には、黒鍵２１の上面２１ａの幅寸法Ｌａを９．０ｍｍ以上かつ１０．５ｍｍ以下、黒鍵２１の底部の幅寸法Ｌｂを１０．７ｍｍ以上かつ１１．０ｍｍ未満にそれぞれ設定し、Ｌａ＜Ｌｂ、３°≦ａｒｃｔａｎ（（Ｌｂ−Ｌａ）／（２×Ｌｃ））の関係を満たす等脚台形状に黒鍵２１を形成することが好ましい。これにより、黒鍵２１の側面２１ｂが鏡面でない場合でも、黒鍵２１の金型成形時の離型性を確保できる。
【００４６】
上記実施形態では、黒鍵２１の上面２１ａに形成されるシボが微小な凹凸である場合を説明したが、必ずしもこれに限られるものではない。例えば、直線や曲線状の溝を組み合わせた形状のシボを黒鍵２１の上面２１ａに形成する構成でも良い。
【００４７】
上記実施形態では、黒鍵２１の形状（上面２１ａの幅寸法Ｌａ、底部の幅寸法Ｌｂ、上面２１ａのシボ、側面２１ｂの鏡面）によって白鍵２０や黒鍵２１の操作性を向上させる場合を説明したが、必ずしもこれに限られるものではない。例えば、標準的な鍵盤楽器の白鍵に対する黒鍵の相対位置からずれた位置に黒鍵２１を配置し、黒鍵２１どうしの対向間隔を広げる構成でも良い。これにより、黒鍵２１どうしの間に位置する白鍵２０（白鍵２０Ｄ，２０Ｇ，２０Ａ）の操作性をより向上させることができる。
【００４８】
また、黒鍵２１を幅方向に揺動可能に形成し、黒鍵２１どうしの対向間に演奏者の指が挿入された場合に、演奏者の指によって黒鍵２１が押し広げられるように構成しても良い。これにより、黒鍵２１どうしの間に位置する白鍵２０（白鍵２０Ｄ，２０Ｇ，２０Ａ）の操作性をより向上させることができる。
【符号の説明】
【００４９】
１              鍵盤楽器
２０            白鍵
２１            黒鍵
２１ａ          黒鍵の上面
２１ｂ          黒鍵の側面
【図１】
2019144317.tif 000003
【図２】
2019144317.tif 000004